(57)【要約】【課題】様々な大きさの被包装物に適応できる包装装置を提供する。【解決手段】底部と、該底部から上方に延びて同底部の上方に所定の空間を形成する囲い部材とを有する第１の固定部材と、底部と、該底部から上方に延びて同底部の上方に所定の空間を形成する囲い部材とを有する第２の固定部材と、前記第１の固定部材及び前記第２の固定部材それぞれの底部に面ファスナーで着脱可能に取付けられると共に、被包装物の一部を受ける凹部が形成された緩衝部材と、被包装物を挟んだ状態の前記第１の固定部材及び前記第２の固定部材を結束する結束部材とを備える包装装置。【選択図】図２
2010047260.tif 000002
【特許請求の範囲】
【請求項１】
底部と、該底部から上方に延びて同底部の上方に所定の空間を形成する囲い部材とを有する第１の固定部材と、
底部と、該底部から上方に延びて同底部の上方に所定の空間を形成する囲い部材とを有する第２の固定部材と、
前記第１の固定部材及び前記第２の固定部材それぞれの底部に面ファスナーで着脱可能に取付けられると共に、被包装物の一部を受ける凹部が形成された緩衝部材と、
被包装物を挟んだ状態の前記第１の固定部材及び前記第２の固定部材を結束する結束部材とを備える
包装装置。
【請求項２】
被包装物を挟んだ状態の前記第１の固定部材と前記第２の固定部材との間に配置されると共に伸縮可能に構成された支柱部材を備える
請求項１に記載の包装装置。
【請求項３】
前記支柱部材の両端は、前記第１の固定部材及び前記第２の固定部材に着脱可能に結合される
請求項２に記載の包装装置。
【請求項４】
被包装物を挟んだ状態の前記第１の固定部材と前記第２の固定部材との間に配置されると共に被包装物の一部を受ける凹部が形成された側壁部材を備える
請求項１〜３のいずれか１つに記載の包装装置。
【発明の詳細な説明】
【技術分野】
【０００１】
本発明は包装装置に関する。詳しくは、薄く大型のテレビ受像機の包装に適した包装装置に係るものである。
【背景技術】
【０００２】
家電メーカーから出荷されてユーザに至るまでの流通過程において、テレビ受像機、空気調節装置の室外機、冷蔵庫等の家電製品の、倉庫保管、輸送運搬、荷扱い等で発生する、落下、振動、衝撃、積み重ね荷重等から家電製品を保護するため、個別に包装貨物試験条件が定められ、包装品質や物流品質が保たれている。
【０００３】
薄型テレビ受像機の包装については、従来、様々な提案がなされている。例えば特許文献１には、平板形状のプラズマディスプレイを立てた状態で保持する梱包部材を有し、梱包部材は、プラズマディスプレイの上下端部または左右両端部が嵌り込む凹部が形成されると共にプラズマディスプレイを上下または左右から挟み込むように配置される緩衝材からなる緩衝パッドと、緩衝パッドを、プラズマディスプレイを挟む方向に締付ける締結具とを有する梱包装置が記載されている。
【０００４】
【特許文献１】特開２００４−６７１６１号公報
【発明の開示】
【発明が解決しようとする課題】
【０００５】
しかし、特許文献１に記載の梱包装置の場合、ユーザ宅において開梱され、そしてプラズマディスプレイが設置された後は、梱包部材は廃棄（ゴミ）され、その大半は焼却処分されているのが実態である。
また、プラズマディスプレイのような最先端の製品は、１〜２年でモデルチェンジされ、購入から３〜４年後にプラズマディスプレイを包装しようにも包装材を入手できない。
従って、テレビ受像機購入者が万一、引越しせざるを得なくなった場合、引越し業者は、何らかの方法で包装しなければならない。
【０００６】
また、テレビ受像機は、ブラウン管からフラットパネルディスプレイ（ＦＰＤ）に変わったことにより場所を取らなくなったため、ますます大型のテレビ受像機に対する需要が高まっており、また、従来にはなかった、３７インチ、４０インチ、４２インチ、５０インチ、６５インチ等様々なサイズのテレビ受像機が開発されそして販売されている。
また、フラットパネルディスプレイのテレビ受像機は、各社、同じ画面サイズの中でも３〜４種類あり、製品の特性上、類似形状ではあるが、外形や寸法は微妙に異なることにより、種類が非常に多い。
従来の包装装置では、様々な種類のテレビ受像機の包装に適しておらず、繰り返しの使用にも適していなかった。
【０００７】
従って、引越し時のテレビ受像機の包装として考えられる一番簡便な方法は、図２１に示すように、大きな静電防止加工の保護袋１０２に入れ、段ボールシート１０３、板状緩衝材１０４、毛布１０５等でテレビ受像機１０１を包み、そしてＰＰ（ポリプロピレン）バンドやＰＰ（ポリプロピレン）テープ等で結束する方法である。
【０００８】
しかし、このような簡便な包装方法では、荷扱い、トラックへの積み込み等に細心の注意を必要とし、万が一にも包装した物を転倒させたり、落したりした場合、壊れるおそれが多分にあった。
【０００９】
本発明は、以上の点に鑑みて創案されたものであり、様々な大きさの被包装物に適応できる包装装置を提供することを目的とする。
【課題を解決するための手段】
【００１０】
上記の目的を達成するために、本発明の包装装置は、底部と、該底部から上方に延びて同底部の上方に所定の空間を形成する囲い部材とを有する第１の固定部材と、
底部と、該底部から上方に延びて同底部の上方に所定の空間を形成する囲い部材とを有する第２の固定部材と、
前記第１の固定部材及び前記第２の固定部材それぞれの底部に面ファスナーで着脱可能に取付けられると共に、被包装物の一部を受ける凹部が形成された緩衝部材と、
被包装物を挟んだ状態の前記第１の固定部材及び前記第２の固定部材を結束する結束部材とを備える。
【００１１】
ここで、第１の固定部材及び第２の固定部材それぞれの底部に面ファスナーで着脱可能に取付けられると共に、被包装物の一部を受ける凹部が形成された緩衝部材によって、被包装物の大きさに合わせて緩衝部材を移動させて包装することができる。
【００１２】
また、本発明の包装装置において、被包装物を挟んだ状態の第１の固定部材と第２の固定部材との間に配置されると共に伸縮可能に構成された支柱部材を備える場合、例えば四隅角部に支柱部材を配置して包装装置の安定度を増大させることができると共に、包装装置の積み上げ保管時において安定性が高まり、多段積みが可能となる。また、支柱部材が伸縮可能に構成されているので高さ調整が可能であり、包装装置の共用化が著しく向上し、利用価値が向上する。
【００１３】
また、本発明の包装装置において、支柱部材の両端は、第１の固定部材及び第２の固定部材に着脱可能に結合される場合、例えばネジによって支柱部材を第１の固定部材及び第２の固定部材に結合するので、短時間で結束を行なうことができる。
【００１４】
また、本発明の包装装置において、被包装物を挟んだ状態の第１の固定部材と第２の固定部材との間に配置されると共に被包装物の一部を受ける凹部が形成された側壁部材を備える場合、より安定して包装することができる。
【発明の効果】
【００１５】
本発明に係る包装装置は、様々な大きさの被包装物に適応できると共に繰り返し使うことができる。
【発明を実施するための最良の形態】
【００１６】
以下、本発明の実施の形態について図面を参照しながら説明し、本発明の理解に供する。
図１は、第１の態様の本発明の包装装置を用いて薄型テレビ受像機を包装した例を説明する概略図である。図１に示すように、本発明の包装装置１は、被包装物である薄型テレビ受像機２を緩衝固定する複数の緩衝部材がそれぞれの底部に面ファスナーで着脱可能に取付けられた下部固定部材（第１の固定部材の一例である。）３及び上部固定部材（第２の固定部材の一例である。）４と、薄型テレビ受像機２を上下から挟んだ状態の下部固定部材３及び上部固定部材４を結束するＰＰバンド（結束部材の一例である。）５とを備える。
なお、図１において、実線は、画面サイズが小さい薄型テレビ受像機２の包装状態を示し、想像線（破線）は、画面サイズが大きい薄型テレビ受像機２の包装状態を示す。ここで、画面サイズが小さい薄型テレビ受像機２を包装する場合は、下部左緩衝部材１０及び下部右緩衝部材１３をＡ寸法だけ内側にずらす。
【００１７】
図２は、本発明の包装装置の固定部材と緩衝部材の位置関係の一例を説明する分解概略図である。下部固定部材３は、図２に示すように、底板６から上方に延びて底板６の上方に所定の空間を形成する、側板７及び妻板８（これらは囲い部材の一例である。）を有するトレー状のものである。
また、底板６に、側板７に対して略平行な長尺の雄型面ファスナー９が複数貼付けられている。
また、底板６に取付けられる緩衝部材は、下部左緩衝部材１０、下部中央緩衝部材１１、６個に分割可能なブロック材１２及び下部右緩衝部材１３である。また、下部左緩衝部材１０、下部中央緩衝部材１１及び下部右緩衝部材１３それぞれの底面には、底板６に複数貼付けられた長尺の雄型面ファスナー９と相対する位置に雌型面ファスナー１４が貼付けられており、下部左緩衝部材１０、下部中央緩衝部材１１及び下部右緩衝部材１３は、雄型面ファスナー９及び雌型面ファスナー１４によって着脱可能に底板６に取付けられる。
【００１８】
また、下部中央緩衝部材１１の上面には、下部中央緩衝部材１１の底面に貼付けられた雌型面ファスナー１４と対称的に雄型面ファスナー９が貼付けられている。また、６個に分割可能なブロック材１２それぞれの底面の両端には、下部中央緩衝部材１１の上面に貼付けられた雄型面ファスナー９と相対する位置に雌型面ファスナー１４が貼付けられており、ブロック材１２は、雄型面ファスナー９及び雌型面ファスナー１４によって着脱可能に下部中央緩衝部材１１の上面のどの位置にも取付けられる。なお、下部中央緩衝部材１１の上面の中央領域には、下部中央緩衝部材１１の底面の雌型面ファスナー１４より広い面積の雄型面ファスナー９が貼付けられている。
また、下部左緩衝部材１０及び下部右緩衝部材１３それぞれの上面には、薄型テレビ受像機２のフレーム角部を受ける凹部１９が形成されている。また、薄型テレビ受像機２のフレーム角部を支持する凹部１９の底面（角載置面２０）には、雄型面ファスナー９が貼付けられている。
【００１９】
また、下部左緩衝部材１０及び下部右緩衝部材１３それぞれの外側に位置する角部には、切欠き部１５が形成されている。
また、下部固定部材３の底板６の四隅には、突起部２４が取付けられており、下部左緩衝部材１０及び下部右緩衝部材１３が底板６に取付けられた場合には、下部左緩衝部材１０及び下部右緩衝部材１３それぞれに形成された切欠き部１５内に位置する。
【００２０】
図３は、本発明の包装装置を用いて脚付きテレビ受像機を包装する場合を説明する概略図である。図３に示すように、上部固定部材４の底板に取付けられる緩衝部材は、上部左緩衝部材１６、上部中央緩衝部材１７及び上部右緩衝部材１８であり、面ファスナーによって底板に着脱可能に取付けられる。
また、下部固定部材３の両端に雄型面ファスナー９によって取付けられた下部左緩衝部材１０及び下部右緩衝部材１３それぞれに形成された凹部１９に、フレーム角部２２を押し込む。また、下部左緩衝部材１０及び下部右緩衝部材１３は、両側板７と妻板８に当接する。
また、薄型テレビ受像機２の脚２１の形状は、メーカーにより異なるが、図３に示す例は角形の脚２１の場合であり、下部左緩衝部材１０及び下部右緩衝部材１３と、ブロック材１２でテレビ受像機２は固定される。即ち、６個に分割可能なブロック材１２の４個を使い、脚２１の両側に当接させて固定する。この６個のブロック材１２は脚２１の形状によって使い分ける。
また、図３に示す上部固定部材４は、６個に分割可能なブロック材１２が取付けられていない点と、上部中央緩衝部材１７の上面に、薄型テレビ受像機２のフレームの一部を受ける凹部が形成されて、凹部の底面に雄型面ファスナー９が貼付けられた点以外は図２に示す下部固定部材３と同じである。
【００２１】
図４は、本発明の包装装置を用いて脚なしテレビ受像機を包装する場合を説明する概略図である。図４に示すように、６個のブロック材１２は、下部中央緩衝部材１１の略中央領域に取付けられている。この６個のブロック材１２によって、薄型テレビ受像機２の下部中央領域が支えられる。その他の構成は、図３に示された構成と同じである。
【００２２】
次に、本発明の包装装置の組立から使用例までを説明する。
最初に、本発明の包装装置１の下部固定部材３及び上部固定部材４それぞれの底板６に、長尺の雄型面ファスナー９を、側板７に対して略平行に複数枚貼付ける。
一方、下部固定部材３の底板６の左右にセットする下部左緩衝部材１０及び下部右緩衝部材１３それぞれの底面や、下部中央緩衝部材１１の底面に、雄型面ファスナー９と相対する位置（間隔）で雌型面ファスナー１４を貼付ける。また、上部固定部材４の底板６の左右にセットする上部左緩衝部材１６及び上部右緩衝部材１８それぞれの底面や、上部中央緩衝部材１７の底面に、雄型面ファスナー９と相対する位置（間隔）で雌型面ファスナー１４を貼付ける。
また、下部左緩衝部材１０及び下部右緩衝部材１３それぞれの上面に形成された凹部１９の角載置面２０に、雄型面ファスナー９を貼付け、下部中央緩衝部材１１の上面の両サイドと中央領域に、下部中央緩衝部材１１の底面の面ファスナーより広い面積の雄型面ファスナー９を貼付ける。
また、６個に分割可能なブロック材１２それぞれの底面の両端に、雌型面ファスナー１４を貼付ける。このような構成により、６個に分割可能なブロック材１２は、下部中央緩衝部材１１の上面のどの位置にも着脱可能に取付けることができる。
また、上部固定部材４も下部固定部材３と略同じ構成であるが、上部中央緩衝部材１７の形状と、上部中央緩衝部材１７の上面に形成された凹部の底面に雄型面ファスナー９が貼付けられた点が異なる。
【００２３】
また、これらの緩衝部材は、発泡スチロールより格段に耐久性が高い、発泡ポリエチレンや発泡ポリプロピレンによって構成される。
各緩衝部材に面ファスナーを取付けた構成であるため、下部固定部材３の底板６に、図３や図４に示すように各緩衝部材を取付けでき、かつ位置も自由に調整できる。即ち、図１に示すようなサイズが異なるテレビ受像機を包装する場合でも、緩衝部材の位置を変更することで対応することができる。
【００２４】
図３は、脚２１が取付けられた薄型テレビ受像機２を包装する場合の図であるが、被包装物である薄型テレビ受像機２は、薄型テレビ受像機２のフレーム角部２２を、下部左緩衝部材１０及び下部右緩衝部材１３それぞれに形成された凹部１９に押し込むことで固定される。
また、上部固定部材４の上部左緩衝部材１６、上部中央緩衝部材１７及び上部右緩衝部材１８も面ファスナーで固定されているため、逆さ状態でも外れず、上方より上部固定部材４を薄型テレビ受像機２に被せて包装することができる。また、緩衝部材の取付け位置も容易に変更できる。
【００２５】
また、薄型テレビ受像機２の脚２１は、下部固定部材３の底板６に取付けた下部中央緩衝部材１１で支えると共に、ブロック材１２を図３のように配置することで、脚２１の左右への動きを防ぐことができる。即ち、下部左緩衝部材１０及び下部右緩衝部材１３へ作用する力を分散させる役割を担うものである。
【００２６】
また、脚２１を外した薄型テレビ受像機２を包装する場合は、図４に示すように、下部固定部材３に取付けた下部中央緩衝部材１１の略中央領域に、６個のブロック材１２を面ファスナーで取付け、緩衝部材付き下部固定部材３を形成し、脚２１を外した薄型テレビ受像機２のフレーム角部２２を、下部左緩衝部材１０及び下部右緩衝部材１３それぞれに形成された凹部１９に押し込み、固定する。
また、脚２１付きの薄型テレビ受像機２を包装する場合と同じ上部固定部材４を薄型テレビ受像機２の上から被せ、薄型テレビ受像機２を上下から挟んだ状態の下部固定部材３及び上部固定部材４を、ＰＰバンド５で結束し、図１に示す包装装置１となる。
このような構成により、脚２１付き薄型テレビ受像機２または脚２１なし薄型テレビ受像機２どちらも緩衝部材で保護し、包装することができる。
【００２７】
図５は、薄型テレビ受像機のフラットパネルディスプレイ部の奥行きが短い場合にスペーサを取付ける様子を説明する概略図である。
被包装物である薄型テレビ受像機２のフラットパネルディスプレイ部の奥行きが短い場合、下部左緩衝部材１０の凹部１９と、薄型テレビ受像機２の後面２Ａとの間に隙間Ｂが生じ、緩衝部材としての機能が低下する可能性が高い。よって、スペーサ（間隔保持材）２３は、この隙間を埋めて緩衝機能と固定機能を奏すものであり、その材質及び構造は、例えばウレタンフォームのブロック体であり、雌型面ファスナーの袋に入れられている。
また、スペーサ２３を、上記の隙間に充填することで、隙間によるガタ発生を防止でき、更に、スペーサ２３の全面が雌型面ファスナーで覆われているため、角載置面２０に貼付けられた雌型面ファスナー１４と結合し、外れにくくなる。
また、逆さで使用する上部固定部材の上部左緩衝部材１６、上部中央緩衝部材１７及び上部右緩衝部材１８の上面に形成された凹部にも雄型面ファスナー９が貼付けられているため、これら緩衝部材の凹部に押し込まれたスペーサ２３は、外れることなくその機能を果たすことができる。
【００２８】
図６は、第２の態様の本発明の包装装置を用いて薄型テレビ受像機を包装した例を説明する概略図である。また、図７は、スライド支柱の一例を示す概略図である。また、図８は、図７のスライド支柱の概略分解図である。また、図９は、結合部材の動作を説明する概略図である。なお、図６において、図１〜図５に示した部材と同じ部材は、同じ符号を付して説明を省略する。
【００２９】
図６に示す包装装置１は、図１〜図５に示された包装装置の下部固定部材３と上部固定部材４の間にスライド支柱（支柱部材の一例である。）２５を装着したものであり、このスライド支柱２５の端部は、下部固定部材３の四隅に取付けられた突起部２４に嵌り込んで、スライド支柱２５は起立し、また、起立したスライド支柱２５の他端は、上部固定部材４の四隅に取付けられた突起部２４に係合する。
【００３０】
また、スライド支柱２５は、図７に示すように、支柱本体２６と、スライドパイプ２７と、結合部材２８の３つの部材で構成され、支柱本体２６の内側にスライドパイプ２７が嵌り込み、結合部材２８の操作でスライドパイプ２７が上下に動く。
また、支柱本体２６は、中空の角パイプであり、２つの側面に波形２段の凹部２９が形成され、一方の端部に、結合部材２８の結合ピン３０が挿入される結合孔３１が形成されている。
【００３１】
また、スライドパイプ２７は、支柱本体２６の中でスライドさせるため、支柱本体２６の内側形状に合わせて、２つの側面に波形２段の凹部３２が形成され、結合部材２８の結合ピン３０が摺動する複数の貫通孔３３が等間隔で形成されている。
【００３２】
結合部材２８は、第１の結合枠３４と第２の結合枠３５の２段状であり、結合ピン３０が取付けられた面と対向する面に切欠き部３６が形成された構造である。また、第１の結合枠３４の結合ピン３０が、支柱本体２６の結合孔３１に挿入されて固定される。
また、第２の結合枠３５の対向する２つの内側面には、スライドパイプ２７の波形２段の凹部３２に係合する波形１段の凸部３７が形成されている。
また、支柱本体２６に固定された結合部材２８の第２の結合枠３５内と支柱本体２６内にスライドパイプ２７が挿入され、スライド支柱２５が完成する。
【００３３】
また、スライド支柱２５の上下への伸縮は、図９に示すように、結合部材２８を押したり戻したりする操作で、結合ピン３０が、支柱本体２６の結合孔３１を介して、スライドパイプ２７の貫通孔３３に挿入されたり若しくは貫通孔３３から抜き出されたりすることで、ストップとスライドを可能としている。この「押す」「戻す」という規制は、支柱本体２６及びスライドパイプ２７に形成された波形２段の凹部（２９、３２）と、結合部材２８に形成された波形１段の凸部３７が摺動することにて機能するものである。
【００３４】
スライド支柱２５は３つの部材で構成されており、支柱本体２６にスライドパイプ２７が嵌り込み、取付けられた結合部材２８を押したり戻したりする操作で、スライドパイプ２７を支柱本体２６から伸縮させる。
即ち、図８に示す支柱本体２６に取付けられた結合部材２８を押したり戻したりする操作で、結合部材２８の第１の結合枠３４と、第２の結合枠３５の内側に形成された波形１段の凸部３７とが前後にスライドし、その結果、第１の結合枠３４の内側に取付けられた結合ピン３０がスライドパイプ２７の貫通孔３３に「出入」し、かつ、波形１段の凸部３７が支柱本体２６の波形２段の凹部２９とスライドパイプ２７の波形２段の凹部３２とに係合する。従って、結合ピン３０がスライドパイプ２７の貫通孔３３から出ているときは、スライドパイプ２７がスライド可能であり、結合ピン３０がスライドパイプ２７の貫通孔３３に入っているときは、スライドパイプ２７はスライド不可となる。
【００３５】
被包装物である薄型テレビ受像機２は年々厚みが薄くなっており、既に３５ｍｍ前後の製品も商品化され、その種類も多くなってきている。また、薄型テレビ受像機２の厚みが薄くなる程、製品の強度も弱くなり、かつ包装装置の安定性も悪くなる。特に上部固定部材は受け面積が小さく、容易にグラついてしまう。
そこで、図６に示すように、本発明の包装装置１の四隅にスライド支柱２５を取付けることで、包装装置１をより強固にすることができ、また、スライド支柱２５自体を掴んで包装装置１を持ち運ぶことでより安全に運ぶことができ、更に、包装装置１同士を積み上げることもできる。また、四隅のスライド支柱２５によって、他の製品が、包装されたテレビ受像機に当たりにくくなる。
また、四隅のスライド支柱２５は上下にスライド可能であり、面ファスナーによって緩衝部材の取付け位置も自由に決めることができ、そして薄型テレビ受像機２のフラットパネルディスプレイの厚みの変動に対してもスペーサを用いるため、本発明の包装装置で多品種の薄型テレビ受像機２の包装に対応できる。
【００３６】
図１０は、第３の態様の本発明の包装装置を用いて薄型テレビ受像機を包装した例を説明する概略図である。また、図１１は、スライド支柱の他の例を示す概略図である。また、図１２は、図１１のスライド支柱の概略分解図である。また、図１３は、取付部材の概略斜視図と概略正面図である。なお、図１０において、図１〜図９に示した部材と同じ部材は、同じ符号を付して説明を省略する。
【００３７】
図１０に示すように、下部左緩衝部材１０及び下部右緩衝部材１３は、薄型テレビ受像機２のサイズに合わせて、Ｃ寸法だけ内側に配置されている。
また、図１３に示すように、取付部材４２の取付部材本体４３は、フラット部から外形が３段形状になっており、２段目本体４４は支柱本体２６の内側と係合し、３段目本体４５がスライドパイプ２７の内側と係合し、フラット部の略中央領域に貫通するネジ穴４６が形成されている。また、３段目本体４５から内側に向けて２本の突出片５０が設けられている。
また、下部固定部材３及び上部固定部材４それぞれの四隅角部には、貫通孔３８が形成された凹部３９が形成されている。また、貫通孔３８それぞれに取付キー４０を通すと共に、スライドパイプ２７の端部及び支柱本体２６の端部にそれぞれ取付けられた取付部材４２の取付部材本体４３に形成されたネジ穴４６に取付キー４０を挿入し、スライド支柱２５を取付ける構成である。
【００３８】
また、取付キー４０は、ツマミ４７と、ネジ部４８と、係合部４９からなり、取付部材本体４３に形成されたネジ穴４６にネジ部４８を挿入し、回転させて取付キー４０を取付ける。
また、係合部４９は四角柱であり、その先端は半球状である。また、係合部４９の四角柱の幅は、２本の突出片５０間の間隔と略同じである。このような構成により、取付キー４０のツマミ４７を４５°回すと、２本の突出片５０に四角柱の角が当たって２本の突出片５０が押し広げられ、更に４５°回すと２本の突出片５０が元に戻り四角柱がロックされ、回転が一旦止まる。
【００３９】
また、取付キー４０は、取付部材４２の内側面に取付けられた２本の突出片５０の間に係合し、取付キー４０の９０°回転で軽くロックし、締め付けが繰り返せる機能が取付部材４２に付与されている。従って、図１０に示すように、被包装物である薄型テレビ受像機２を挟んだ下部固定部材３及び上部固定部材４それぞれの四隅角部に形成された貫通孔３８に、高さ調整されたスライド支柱２５の端部の取付キーを通して接続し、包装装置の四隅角部にスライド支柱２５を設置する。
なお、図１０において、スライド支柱２５の結合部材２８が見えないのは、スライドパイプのほとんどが支柱本体内に挿入されて、スライド支柱２５の長さが短くなっているからである。
【００４０】
また、取付キー４０が、ネジ回転で９０°回るごとに一旦ロックする構造であり、ネジで締め付けることにより、下部固定部材３と上部固定部材４を一体化させる。従って、４つのスライド支柱２５の高さを、薄型テレビ受像機２の高さに合わせて調整し、４つのスライド支柱２５を下部固定部材３及び上部固定部材４に取付けて一体化し、荷扱い、保管、輸送等に適した包装装置となる。
【００４１】
図１４は、第４の態様の本発明の包装装置を用いて薄型テレビ受像機を包装した例を説明する概略図である。また、図１５は、打ち抜き加工された固定部材用シートの概略平面図である。また、図１６は、図１５に示されたシートを組立てた状態の概略図である。また、図１７は、固定部材の角部に取付けられる第１の支柱受部材を示す概略図である。また、図１８は、固定部材の角部に取付けられる第２の支柱受部材を示す概略図である。なお、図１４において、図１〜図１３に示した部材と同じ部材は、同じ符号を付して説明を省略する。
【００４２】
図１４に示すように、下部固定部材３及び上部固定部材４それぞれの四隅角部に、図１７と図１８に示す第１の支柱受部材５２及び第２の支柱受部材５３を取付け、下部固定部材３及び上部固定部材４それぞれの四隅角部にスライド支柱２５の端部を取付ける。
また、図１５に示すように、加工されて固定部材となる一枚のシート状ダンボールまたはプラスチック系シートの、底板６の角部となる位置に、切欠き穴５５を形成し、そして折りケイまたはＶ溝５６を形成する。次に、側板７及び妻板８を折り曲げて互いを接合し、図１６に示すような固定部材と成す。
また、図１６に示す固定部材の角部の貫通孔５９に、図１７及び図１８に示す、結合穴５４がそれぞれ形成された第１の支柱受部材５２及び第２の支柱受部材５３を取付ける。
このような加工を終えた固定部材の内側には、図２や図３に示すように面ファスナーと緩衝部材が取付けられ、下部固定部材３及び上部固定部材４となる。
【００４３】
図１９は、第５の態様の本発明の包装装置を用いて薄型テレビ受像機を包装した例を説明する概略図である。また、図２０は、図１９に示す包装装置の一部が切り欠かれた概略図である。なお、図１９と図２０において、図１〜図１８に示した部材と同じ部材は、同じ符号を付して説明を省略する。
【００４４】
図２０に示すように、スライド支柱は、略Ｕ字状のスリーブ（側壁部材の一例である。）６１と一体に固定されている。また、スリーブ６１の縁の一部には、下部固定部材３及び上部固定部材４それぞれの四隅角部に形成された凹部３９に係合する切欠き部６２が形成され、また、上部固定部材４の妻板に対応する位置に配置されるスリーブ６１の一部に、折り曲げ可能な折曲片６３が形成されている。また、折曲片６３は、折り曲げられた状態で上部固定部材４内に収納され、直立した薄型テレビ受像機２のフレームと係合し支える切欠き部（被包装物の一部を受ける凹部の一例である。）６４が形成されている。
【００４５】
略Ｕ字状のスリーブ６１と、取付キー４０が付いたスライド支柱２５を一体に固定したことにより、薄く倒れやすいテレビ受像機のフレームを切欠き部６４で受け、テレビ受像機の両側に配置された略Ｕ字状のスリーブ６１がテレビ受像機を支えることで、転倒防止を図ることができる。
更に、下部固定部材３及び上部固定部材４に装着したスライド支柱２５の取付キー４０を締付けることで、下部固定部材３及び上部固定部材４も一体となり、包装装置の安定感がより一層増す。また、スリーブ６１は、板状に折りたたむことができ、例えば下部固定部材３の緩衝部材上に収納できる。
【００４６】
以上のように、下部左緩衝部材１０、下部中央緩衝部材１１及び下部右緩衝部材１３は、雄型面ファスナー９及び雌型面ファスナー１４によって着脱可能に下部固定部材３の底板６に取付けられ、また、上部左緩衝部材１６、上部中央緩衝部材１７及び上部右緩衝部材１８も、面ファスナーによって上部固定部材４の底板に着脱可能に取付けられ、更に、上下部の左右緩衝部材それぞれの上面には、薄型テレビ受像機２のフレーム角部を受ける凹部が形成されているので、薄型テレビ受像機２の大きさに合わせて緩衝部材を移動させて包装することができ、よって、様々な大きさの薄型テレビ受像機２に適応できる。
【００４７】
また、下部固定部材３と上部固定部材４の間にスライド支柱２５が配置されるので、四隅角部にスライド支柱２５を配置して包装装置の安定度を増大させることができると共に、包装装置の積み上げ保管時において安定性が高まり、多段積みが可能となる。また、スライド支柱２５が伸縮可能に構成されているので高さ調整が可能であり、包装装置の共用化が著しく向上し、利用価値が向上する。
【００４８】
また、取付キー４０によって、下部固定部材３と上部固定部材４にスライド支柱２５の両端を着脱可能に取付けるので、短時間で結束を行なうことができる。
【００４９】
また、スライド支柱２５は、略Ｕ字状のスリーブ６１と一体に固定され、スリーブ６１には薄型テレビ受像機２のフレームと係合し支える切欠き部６４が形成された折曲片６３が設けられているので、下部固定部材３に片側のスライド支柱２５を固定し、薄型テレビ受像機２を載置して、フレームと切欠き部６４を係合させることで、載置した薄型テレビ受像機２を支えることができる。従って、両サイドの切欠き部６４をフレームと係合させることで、より安定して薄型テレビ受像機２を包装することができる。
【図面の簡単な説明】
【００５０】
【図１】第１の態様の本発明の包装装置を用いて薄型テレビ受像機を包装した例を説明する概略図である。
【図２】本発明の包装装置の固定部材と緩衝部材の位置関係の一例を説明する分解概略図である。
【図３】本発明の包装装置を用いて脚付きテレビ受像機を包装する場合を説明する概略図である。
【図４】本発明の包装装置を用いて脚なしテレビ受像機を包装する場合を説明する概略図である。
【図５】薄型テレビ受像機のフラットパネルディスプレイ部の奥行きが短い場合にスペーサを取付ける様子を説明する概略図である。
【図６】第２の態様の本発明の包装装置を用いて薄型テレビ受像機を包装した例を説明する概略図である。
【図７】スライド支柱の一例を示す概略図である。
【図８】図７のスライド支柱の概略分解図である。
【図９】結合部材の動作を説明する概略図である。
【図１０】第３の態様の本発明の包装装置を用いて薄型テレビ受像機を包装した例を説明する概略図である。
【図１１】スライド支柱の他の例を示す概略図である。
【図１２】図１１のスライド支柱の概略分解図である。
【図１３】取付部材の概略斜視図と概略正面図である。
【図１４】第４の態様の本発明の包装装置を用いて薄型テレビ受像機を包装した例を説明する概略図である。
【図１５】打ち抜き加工された固定部材用シートの概略平面図である。
【図１６】図１５に示されたシートを組立てた状態の概略図である。
【図１７】固定部材の角部に取付けられる第１の支柱受部材を示す概略図である。
【図１８】固定部材の角部に取付けられる第２の支柱受部材を示す概略図である。
【図１９】第５の態様の本発明の包装装置を用いて薄型テレビ受像機を包装した例を説明する概略図である。
【図２０】図１９に示す包装装置の一部が切り欠かれた概略図である。
【図２１】従来の簡便な包装方法を示す概略図である。
【符号の説明】
【００５１】
１    包装装置
２    薄型テレビ受像機
２Ａ  薄型テレビ受像機の後面
３    下部固定部材
４    上部固定部材
５    ＰＰバンド
６    底板
７    側板
８    妻板
９    雄型面ファスナー
１０    下部左緩衝部材
１１    下部中央緩衝部材
１２    ブロック材
１３    下部右緩衝部材
１４    雌型面ファスナー
１５    切欠き部
１６    上部左緩衝部材
１７    上部中央緩衝部材
１８    上部右緩衝部材
１９    凹部
２０    角載置面
２１    脚
２２    フレーム角部
２３    スペーサ（間隔保持材）
２４    突起部
２５    スライド支柱
２６    支柱本体
２７    スライドパイプ
２８    結合部材
２９    波形２段の凹部
３０    結合ピン
３１    結合孔
３２    波形２段の凹部
３３    貫通孔
３４    第１の結合枠
３５    第２の結合枠
３６    切欠き部
３７    波形１段の凸部
３８    貫通孔
３９    凹部
４０    取付キー
４２    取付部材
４３    取付部材本体
４４    ２段目本体
４５    ３段目本体
４６    ネジ穴
４７    ツマミ
４８    ネジ部
４９    係合部
５０    突出片
５２    第１の支柱受部材
５３    第２の支柱受部材
５４    結合穴
５５    切欠き穴
５６    Ｖ溝
５９    貫通孔
６１    略Ｕ字状のスリーブ
６２    切欠き部
６３    折曲片
６４    切欠き部
【図１】
2010047260.tif 000003
【図２】
2010047260.tif 000004
【図３】
2010047260.tif 000005
【図４】
2010047260.tif 000006
【図５】
2010047260.tif 000007
【図６】
2010047260.tif 000008
【図７】
2010047260.tif 000009
【図８】
2010047260.tif 000010
【図９】
2010047260.tif 000011
【図１０】
2010047260.tif 000012
【図１１】
2010047260.tif 000013
【図１２】
2010047260.tif 000014
【図１３】
2010047260.tif 000015
【図１４】
2010047260.tif 000016
【図１５】
2010047260.tif 000017
【図１６】
2010047260.tif 000018
【図１７】
2010047260.tif 000019
【図１８】
2010047260.tif 000020
【図１９】
2010047260.tif 000021
【図２０】
2010047260.tif 000022
【図２１】
2010047260.tif 000023